(57)【要約】【課題】高倍率で、レンズ全長が短く、結像性能に優れたズームレンズ系を提供する。【解決手段】ズームレンズ系は、物体側から像面Ｓ側へと順に、正のパワーを有する第１レンズ群Ｇ１と、負のパワーを有する第２レンズ群Ｇ２と、正のパワーを有する第３レンズ群Ｇ３と、第４レンズ群Ｇ４、第５レンズ群Ｇ５と第６レンズ群Ｇ６を有する後続レンズ群から構成される。第１レンズ群Ｇ１は、物体側から順に、負のパワーの第１レンズ素子Ｌ１と、正のパワーの第２レンズ素子Ｌ２と、正のパワーを有する第３レンズ素子Ｌ３と、正のパワーを有する第４レンズ素子Ｌ４を有する。後続レンズ群の第５レンズ群Ｇ５は、負のパワーを有する。第１レンズ群Ｇ１は撮影時の広角端から望遠端へのズーミングの際に像面Ｓに対して固定されている。【選択図】図１
2016173556.tif 000002
【特許請求の範囲】
【請求項１】
複数のレンズ群を有するズームレンズ系であって、
物体側から像面側へと順に、
正のパワーを有する第１レンズ群と、
負のパワーを有する第２レンズ群と、
正のパワーを有する第３レンズ群と、
第４レンズ群、第５レンズ群および第６レンズ群の３つのレンズ群を有する後続レンズ群と、を備え、
前記第１レンズ群は、前記物体側から前記像面側へと順に、負のパワーを有する第１レンズ素子と、正のパワーを有する第２レンズ素子と、正のパワーを有する第３レンズ素子と、正のパワーを有する第４レンズ素子とを有し、
前記後続レンズ群の前記第５レンズ群は、負のパワーを有し、
前記第１レンズ群の位置は、撮影時の広角端から望遠端へのズーミングの際に、前記像面に対して固定されているズームレンズ系。
【請求項２】
前記第５レンズ群は、ズーミングの際に、前記像面に対して、移動可能に構成される請求項１に記載のズームレンズ系。
【請求項３】
広角端から望遠端へのズーミング時における前記第５レンズ群の物体側への移動量をＭ５、レンズ全長をＬａとしたとき、
０．０７５  ＜  Ｍ５／Ｌａ  ＜  ０．３００
の条件式を満たす請求項１または請求項２のいずれか１項に記載のズームレンズ系。
【請求項４】
開口絞りを、備え、
前記開口絞りの前後に、撮影時の広角端から望遠端へのズーミングの際に光軸に沿って移動する前記レンズ群が少なくとも１つ以上配置される請求項１に記載のズームレンズ系。
【請求項５】
広角端から望遠端へのズーミングの際に、前記開口絞りの位置は、前記像面に対して固定されている請求項３または請求項４のいずれか１項に記載のズームレンズ系。
【請求項６】
広角端から望遠端へのズーミングの際に、前記後続レンズ群のうち、最も像側に位置する前記第６レンズ群の位置は、前記像面に対して固定されている請求項１から請求項５のいずれか１項に記載のズームレンズ系。
【請求項７】
広角端から望遠端へのズーミング時における第５レンズ群の移動量をＺ５、
第５レンズ群の焦点距離をｆ５としたとき、
０．６２  ＜  ｜Ｚ５／ｆ５｜  ＜  ５０
の条件式を満たす請求項１から請求項５のいずれか１項に記載のズームレンズ系。
【請求項８】
前記第５レンズ群は、単レンズ素子で構成され、無限遠合焦状態から近接物体合焦状態へのフォーカシングの際に、前記像面側に移動してフォーカシングする請求項１から請求項７のいずれか１項に記載のズームレンズ系。
【請求項９】
前記第５レンズ群の内、負のパワーを有するレンズ素子のｄ線に対する屈折率をｎとしたとき、
１．７５  ＜  ｎ  ≦  ２．１
の条件式を満たす前記レンズ素子からなる請求項１から請求項８のいずれか１項に記載のズームレンズ系。
【請求項１０】
広角端から望遠端へのズーミングの際に、前記後続レンズ群の前記第４レンズ群と前記前記第５レンズ群は、広角端に対して望遠端において、第４レンズ群と第５レンズ群の間隔は狭くなるように前記像面側から前記物体側へと移動する請求項１から請求項９のいずれか１項に記載のズームレンズ系。
【請求項１１】
広角端から望遠端へのズーミングの際に、前記後続レンズ群の前記第４レンズ群は前記像面に対して固定され、前記第５レンズ群は、前記像面に近づくように移動し、その後、前記像面から離れるように移動する請求項１から請求項９のいずれか１項に記載のズームレンズ系。
【請求項１２】
請求項１から請求項１１のいずれか１項に記載のズームレンズ系と、
前記ズームレンズ系で形成される像を受光する撮像素子と、を有するカメラシステム。
【発明の詳細な説明】
【技術分野】
【０００１】
本開示は、ズームレンズ系およびカメラシステムに関する。
【背景技術】
【０００２】
特許文献１は、正負正正負正の６群構成のズームレンズ系を開示する。
【０００３】
上記ズームレンズ系は、２枚のレンズ素子で構成される第１レンズ群がズーミングの際に像面に対して固定され、第５レンズ群でフォーカシングを行う。このとき、第４レンズ群と第５レンズ群の移動量の比を規定してズーミングするように構成されている。
【先行技術文献】
【特許文献】
【０００４】
【特許文献１】特開２０１３−２１８２９０号公報
【発明の概要】
【発明が解決しようとする課題】
【０００５】
本開示は、小型、高倍率で、全ズーム範囲で結像性能に優れたズームレンズ系およびズームレンズ系を含むカメラシステムを提供する。
【課題を解決するための手段】
【０００６】
本開示は、複数のレンズ群を有するズームレンズ系であって、物体側から像面側へと順に、正のパワーを有する第１レンズ群と、負のパワーを有する第２レンズ群と、正のパワーを有する第３レンズ群と、第４レンズ群、第５レンズ群および第６レンズ群の３つのレンズ群を有する後続レンズ群を備える。第１レンズ群は、物体側から像面側へと順に、負のパワーを有する第１レンズ素子と、正のパワーを有する第２レンズ素子と、正のパワーを有する第３レンズ素子と、正のパワーを有する第４レンズ素子とを有する。後続レンズ群の第５レンズ群は、負のパワーを有し、第１レンズ群は、撮像時の広角端から望遠端へのズーミングの際に、像面に対して固定されて構成される。
【０００７】
また、本開示のカメラシステムは、上記ズームレンズ系と、ズームレンズ系で形成される光学像を受光して電気的な画像信号に変換する撮像素子を含むカメラ本体を備える。
【発明の効果】
【０００８】
本開示は、小型、高倍率で、全ズーム範囲で結像性能に優れたズームレンズ系およびそれを備えるカメラシステムを実現できる。
【図面の簡単な説明】
【０００９】
【図１】実施の形態１に係るズームレンズ系の無限遠合焦状態を示すレンズ配置図
【図２】同実施の形態の数値実施例１に係るズームレンズ系の無限遠合焦状態の縦収差図
【図３】実施の形態２に係るズームレンズ系の無限遠合焦状態を示すレンズ配置図
【図４】同実施の形態の数値実施例２に係るズームレンズ系の無限遠合焦状態の縦収差図
【図５】実施の形態３に係るズームレンズ系の無限遠合焦状態を示すレンズ配置図
【図６】同実施の形態の数値実施例３に係るズームレンズ系の無限遠合焦状態の縦収差図
【図７】実施の形態４に係るズームレンズ系の無限遠合焦状態を示すレンズ配置図
【図８】同実施の形態の数値実施例４に係るズームレンズ系の無限遠合焦状態の縦収差図
【図９】実施の形態５に係るズームレンズ系の無限遠合焦状態を示すレンズ配置図
【図１０】同実施の形態の数値実施例５に係るズームレンズ系の無限遠合焦状態の縦収差図
【図１１】実施の形態６に係るズームレンズ系を搭載したカメラシステムの構成図
【発明を実施するための形態】
【００１０】
以下、図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、添付図面および以下の説明は、当業者が本開示を充分に理解するために、提供されるのであって、これらにより特許請求の範囲に記載の主題を限定することは意図されていない。
【００１２】
（実施の形態１〜５）
以下に、実施の形態１から実施の形態５に係るズームレンズ系について、図面を用いて、個別に説明する。
【００１３】
なお、各実施の形態のズームレンズ系は、第１レンズ群Ｇ１、第２レンズ群Ｇ２、第３レンズ群Ｇ３、第４レンズ群Ｇ４、第５レンズ群Ｇ５および第６レンズ群Ｇ６の６群レンズ構成からなる。
【００１４】
図１、図３、図５、図７および図９は、無限遠合焦状態にあるズームレンズ系を示すレンズ配置図である。
【００１５】
各図の（ａ）は、ズーミング状態が広角端（最短焦点距離状態：焦点距離ｆＷ）におけるレンズ配置図を示している。
【００１６】
また、各図の（ｃ）は、上から順に、広角端、中間位置（中間焦点距離状態：焦点距離ｆＭ＝√（ｆＷ＊ｆＴ））、望遠端（最長焦点距離状態：焦点距離ｆＴ）の各状態における各レンズ群の位置を、折れ線の矢印で結んで示している。なお、矢印は、広角端と中間位置との間、中間位置と望遠端との間を、単純に線で接続しているだけで、実際の各レンズ群の動きを示しているものではない。
【００１７】
さらに、各図に示すレンズ群に付された矢印の方向は、無限遠合焦状態から近接物体合焦状態へのフォーカシング時の配置状態を示している。つまり、例えば、各図の（ｂ）の第５レンズ群Ｇ５（−）に図示する矢印は、フォーカシングレンズ群が無限遠合焦状態から近接物体合焦状態へのフォーカシングの際に移動する方向を示している。
【００１８】
また、各図では、各レンズ群の符号を記している。そのため、便宜上、各レンズ群の符号の下部にフォーカシングを表す矢印を付している（例えば、各図の（ｂ）の第５レンズ群Ｇ５（−）に図示する矢印である）。そこで、各ズーミング状態におけるフォーカシングの際の各レンズ群が移動する方向については、実施の形態ごとに、後に具体的に説明する。
【００１９】
さらに、各図の（ａ）に示す、特定のレンズ素子の面に付されたアスタリスク＊は、その面が非球面であることを示している。
【００２０】
また、各図の（ｂ）に示す各レンズ群（Ｇ１からＧ６）の符号に付された記号（＋）および記号（−）は、各レンズ群のパワーの符号に対応する。そして、各図の（ａ）において、最も右側に記載された直線は、像面Ｓの位置を示す。そのため、図面の左側は、物体側に相当する。さらに、第６レンズ群Ｇ６と像面Ｓとの間には、例えばローパスフィルターやカバーガラスなどの平行平板Ｅが配置される。
【００２１】
（実施の形態１）
以下に、実施の形態１に係るズームレンズ系について、図１を用いて、説明する。
【００２２】
図１の（ａ）に示すように、本実施の形態のズームレンズ系は、上述したように、６群レンズ構成からなる。なお、以降の実施の形態のズームレンズ系も同じである。
【００２３】
第１レンズ群Ｇ１は、物体側から像面Ｓ側へと順に、第１レンズ素子Ｌ１と、第２レンズ素子Ｌ２と、第３レンズ素子Ｌ３と、第４レンズ素子Ｌ４からなる。第１レンズ素子Ｌ１は、物体側に凸面を向けた負メニスカス形状で構成される。第２レンズ素子Ｌ２は、物体側に凸面を向けた正メニスカス形状で構成される。第３レンズ素子Ｌ３は、物体側に凸面を向けた正メニスカス形状で構成される。第４レンズ素子Ｌ４は、物体側に凸面を向けた正メニスカス形状で構成される。これにより、第１レンズ群Ｇ１は、正のパワーを有する。また、第１レンズ素子Ｌ１と第２レンズ素子Ｌ２とは、互いに接着剤層を（図示せず）介して接合されている。そのため、実施の形態１に対応し、後述する数値実施例１の面データにおいては、第１レンズ素子Ｌ１と第２レンズ素子Ｌ２との間の接着剤層に、面番号２を付与している。
【００２４】
第２レンズ群Ｇ２は、物体側から像面Ｓ側へと順に、物体側に凸面を向けた負メニスカス形状の第５レンズ素子Ｌ５と、両凹形状の第６レンズ素子Ｌ６と、両凸形状の第７レンズ素子Ｌ７と、両凹形状の第８レンズ素子Ｌ８とからなる。第６レンズ素子Ｌ６の両面は、非球面である。これにより、第２レンズ群Ｇ２は、負のパワーを有する。また、第７レンズ素子Ｌ７と第８レンズ素子Ｌ８とは、互いに接着剤層（図示せず）を介して接合されている。そのため、数値実施例１の面データにおいては、第７レンズ素子Ｌ７と第８レンズ素子Ｌ８との間の接着剤層に、面番号１４を付与している。
【００２５】
第３レンズ群Ｇ３は、物体側から順に、物体側に凸面を向けた正メニスカス形状の第９レンズ素子Ｌ９と、開口絞りＡからなる。第９レンズ素子Ｌ９の物体側の面は、非球面である。これにより、第３レンズ群Ｇ３は、正のパワーを有する。
【００２６】
第４レンズ群Ｇ４は、物体側から像面Ｓ側へと順に、両凸形状の第１０レンズ素子Ｌ１０と、第１１レンズ素子Ｌ１１と、両凸形状の第１２レンズ素子Ｌ１２と、第１３レンズ素子Ｌ１３とからなる。第１１レンズ素子Ｌ１１は、物体側に凸面を向けた負メニスカス形状で構成される。第１３レンズ素子Ｌ１３は、物体側に凸面を向けた正メニスカス形状で構成される。第１０レンズ素子Ｌ１０の両面および第１３レンズ素子Ｌ１３の物体側の面は、非球面である。これにより、第４レンズ群Ｇ４は、正のパワーを有する。また、第１１レンズ素子Ｌ１１と第１２レンズ素子Ｌ１２とは、互いに接着剤層（図示せず）を介して接合されている。そのため、数値実施例１の面データにおいては、第１１レンズ素子Ｌ１１と第１２レンズ素子Ｌ１２との間の接着剤層に、面番号２３を付与している。
【００２７】
第５レンズ群Ｇ５は、両凹形状の第１４レンズ素子Ｌ１４のみからなる。これにより、第５レンズ群Ｇ５は、負のパワーを有する。
【００２８】
第６レンズ群Ｇ６は、両凸形状の第１５レンズ素子Ｌ１５のみからなる。これにより、第６レンズ群Ｇ６は、正のパワーを有する。
【００２９】
以上のように、本実施の形態のズームレンズ系は、６群レンズで構成されている。
【００３０】
また、図１の（ｃ）に示すように、本実施の形態のズームレンズ系の各レンズ群は、撮像時のズーミングにおいて、広角端（Ｔｅｌｅ−ｅｎｄ）に対して望遠端（Ｗｉｄｅ−ｅｎｄ）では、以下のように動作する。
【００３１】
なお、第１レンズ群Ｇ１、第３レンズ群Ｇ３および第６レンズ群Ｇ６は、像面Ｓに対して、固定して配置されている。
【００３２】
まず、第１レンズ群Ｇ１と第２レンズ群Ｇ２との間隔ｄ８は、第２レンズ群Ｇ２が像面Ｓ側に移動して広くなる。これにより、第２レンズ群Ｇ２と第３レンズ群Ｇ３との間隔ｄ１６は、狭くなる。第３レンズ群Ｇ３と第４レンズ群Ｇ４との間隔ｄ１９は、第４レンズ群Ｇ４が物体側に移動して狭くなる。
【００３３】
第４レンズ群Ｇ４と第５レンズ群Ｇ５は、それぞれ物体側に移動する。このとき、第４レンズ群Ｇ４と第５レンズ群Ｇ５との間隔ｄ２７が、最終的に望遠端で狭くなるように移動する。つまり、間隔ｄ２７は、広角端から望遠端への移動の途中では、広くなる場合がある。
【００３４】
さらに、第５レンズ群Ｇ５と第６レンズ群Ｇ６との間隔ｄ２９は、第５レンズ群Ｇ５が物体側に移動するため広くなる。
【００３５】
以上のように、本実施の形態のズームレンズ系は、第２レンズ群Ｇ２、第４レンズ群Ｇ４および第５レンズ群Ｇ５が光軸Ｌに沿って、相対的に移動する。これにより、広角端から望遠端までのズーミング動作が行われる。なお、望遠端から広角端までの動作は、上記各レンズ群の反対の動きにより行われる。
【００３６】
なお、フォーカシングレンズ群である第５レンズ群Ｇ５は、無限遠合焦状態から近接物体合焦状態へのフォーカシングの際に、広角から望遠のいずれのズーミング状態でも、光軸Ｌに沿って像面Ｓ側へ移動する。つまり、例えば第５レンズ群Ｇ５は、各図の（ｃ）に示すように、広角から望遠のズーミング状態において、物体側に移動する。そして、フォーカシング時においては、各図の（ｂ）の矢印で示すように、ズーミング状態の位置で、像面Ｓ側に移動してフォーカシングを行う。
【００３７】
（実施の形態２）
以下に、実施の形態２に係るズームレンズ系について、図３を用いて、説明する。
【００３８】
図３の（ａ）に示すように、本実施の形態のズームレンズ系の第１レンズ群Ｇ１は、物体側から像面Ｓ側へと順に、第１レンズ素子Ｌ１と、両凸形状の第２レンズ素子Ｌ２と、第３レンズ素子Ｌ３と、第４レンズ素子Ｌ４とからなる。第１レンズ素子Ｌ１は、物体側に凸面を向けた負メニスカス形状で構成される。第３レンズ素子Ｌ３は、物体側に凸面を向けた正メニスカス形状で構成される。第４レンズ素子Ｌ４は、物体側に凸面を向けた正メニスカス形状で構成される。これにより、第１レンズ群Ｇ１は、正のパワーを有する。また、第１レンズ素子Ｌ１と第２レンズ素子Ｌ２とは、互いに接着剤層（図示せず）を介して接合されている。そのため、実施の形態２に対応し、後述する数値実施例２の面データにおいては、第１レンズ素子Ｌ１と第２レンズ素子Ｌ２との間の接着剤層に、面番号２を付与している。
【００３９】
第２レンズ群Ｇ２は、物体側から像面Ｓ側へと順に、物体側に凸面を向けた負メニスカス形状の第５レンズ素子Ｌ５と、両凹形状の第６レンズ素子Ｌ６と、両凸形状の第７レンズ素子Ｌ７と、両凹形状の第８レンズ素子Ｌ８とからなる。第６レンズ素子Ｌ６の両面は、非球面である。これにより、第２レンズ群Ｇ２は、負のパワーを有する。また、第７レンズ素子Ｌ７と第８レンズ素子Ｌ８とは、互いに接着剤層（図示せず）を介して接合されている。そのため、数値実施例２の面データにおいては、第７レンズ素子Ｌ７と第８レンズ素子Ｌ８との間の接着剤層（図示せず）に、面番号１４を付与している。
【００４０】
第３レンズ群Ｇ３は、物体側から順に、物体側に凸面を向けた正メニスカス形状の第９レンズ素子Ｌ９と、開口絞りＡとからなる。第９レンズ素子Ｌ９の物体側の面は、非球面である。これにより、第３レンズ群Ｇ３は、正のパワーを有する。
【００４１】
第４レンズ群Ｇ４は、物体側から像面Ｓ側へと順に、第１０レンズ素子Ｌ１０と、第１１レンズ素子Ｌ１１と、第１２レンズ素子Ｌ１２と、両凸形状の第１３レンズ素子Ｌ１３とからなる。第１０レンズ素子Ｌ１０は、物体側に凸面を向けた正メニスカス形状で構成される。第１１レンズ素子Ｌ１１は、物体側に凸面を向けた負メニスカス形状で構成される。第１２レンズ素子Ｌ１２は、物体側に凸面を向けた正メニスカス形状で構成される。これにより、第４レンズ群Ｇ４は、正のパワーを有する。第１１レンズ素子Ｌ１１と第１２レンズ素子Ｌ１２とは、互いに接着剤層（図示せず）を介して接合されている。そのため、数値実施例２の面データにおいては、第１１レンズ素子Ｌ１１と第１２レンズ素子Ｌ１２との間の接着剤層に、面番号２３を付与している。また、第１０レンズ素子Ｌ１０の像面Ｓ側および第１３レンズ素子Ｌ１３の両面は、非球面である。
【００４２】
第５レンズ群Ｇ５は、物体側に凸面を向けた負メニスカス形状の第１４レンズ素子Ｌ１４のみからなる。これにより、第５レンズ群Ｇ５は、負のパワーを有する。
【００４３】
第６レンズ群Ｇ６は、両凸形状の第１５レンズ素子Ｌ１５のみからなる。これにより、第６レンズ群Ｇ６は、正のパワーを有する。
【００４４】
以上のように、本実施の形態のズームレンズ系は、６群レンズで構成されている。
【００４５】
また、図３の（ｃ）に示すように、本実施の形態のズームレンズ系は、撮像時のズーミングにおいて、広角端に対して望遠端では、以下のように動作する。
【００４６】
このとき、実施の形態１と同様に、第１レンズ群Ｇ１、第３レンズ群Ｇ３および第６レンズ群Ｇ６は、像面Ｓに対して、固定して配置されている。
【００４７】
まず、第１レンズ群Ｇ１と第２レンズ群Ｇ２との間隔ｄ８は、第２レンズ群Ｇ２が像面Ｓ側に移動して広くなる。これにより、第２レンズ群Ｇ２と第３レンズ群Ｇ３との間隔ｄ１６は、狭くなる。第３レンズ群Ｇ３と第４レンズ群Ｇ４との間隔ｄ１９は、第４レンズ群Ｇ４が物体側に移動して狭くなる。
【００４８】
第４レンズ群Ｇ４と第５レンズ群Ｇ５は、それぞれ物体側に移動する。このとき、第４レンズ群Ｇ４と第５レンズ群Ｇ５との間隔ｄ２７が、最終的に望遠端で狭くなるように移動する。つまり、間隔ｄ２７は、広角端から望遠端への移動の途中では、広くなる場合がある。
【００４９】
さらに、第５レンズ群Ｇ５と第６レンズ群Ｇ６との間隔ｄ２９は、第５レンズ群Ｇ５が物体側に移動するため広くなる。
【００５０】
以上のように、本実施の形態のズームレンズ系は、第２レンズ群Ｇ２、第４レンズ群Ｇ４および第５レンズ群Ｇ５が光軸Ｌに沿って、相対的に移動する。これにより、広角端から望遠端までのズーミング動作が行われる。
【００５１】
なお、フォーカシングレンズ群である第５レンズ群Ｇ５は、無限遠合焦状態から近接物体合焦状態へのフォーカシングの際に、広角から望遠のいずれのズーミング状態でも、光軸Ｌに沿って像面Ｓ側へ移動する。
【００５２】
（実施の形態３）
以下に、実施の形態３に係るズームレンズ系について、図５を用いて、説明する。
【００５３】
図５の（ａ）に示すように、本実施の形態のズームレンズ系の第１レンズ群Ｇ１は、物体側から像面Ｓ側へと順に、第１レンズ素子Ｌ１と、両凸形状の第２レンズ素子Ｌ２と、第３レンズ素子Ｌ３と、第４レンズ素子Ｌ４とからなる。第１レンズ素子Ｌ１は、物体側に凸面を向けた負メニスカス形状で構成される。第３レンズ素子Ｌ３は、物体側に凸面を向けた正メニスカス形状で構成される。第４レンズ素子Ｌ４は、物体側に凸面を向けた正メニスカス形状で構成される。これにより、第１レンズ群Ｇ１は、正のパワーを有する。また、第１レンズ素子Ｌ１と第２レンズ素子Ｌ２とは、互いに接着剤層（図示せず）を介して接合されている。そのため、実施の形態３に対応し、後述する数値実施例３の面データにおいては、第１レンズ素子Ｌ１と第２レンズ素子Ｌ２との間の接着剤層に、面番号２を付与している。
【００５４】
第２レンズ群Ｇ２は、物体側から像面Ｓ側へと順に、物体側に凸面を向けた負メニスカス形状の第５レンズ素子Ｌ５と、両凹形状の第６レンズ素子Ｌ６と、両凸形状の第７レンズ素子Ｌ７と、両凹形状の第８レンズ素子Ｌ８とからなる。第６レンズ素子Ｌ６の両面は、非球面である。これにより、第２レンズ群Ｇ２は、負のパワーを有する。また、第７レンズ素子Ｌ７と第８レンズ素子Ｌ８とは、互いに接着剤層（図示せず）を介して接合されている、そのため、数値実施例３の面データにおいては、第７レンズ素子Ｌ７と第８レンズ素子Ｌ８との間の接着剤層に、面番号１４を付与している。
【００５５】
第３レンズ群Ｇ３は、物体側から順に、像面Ｓ側に凸面を向けた正メニスカス形状の第９レンズ素子Ｌ９と、開口絞りＡとからなる。第９レンズ素子Ｌ９の物体側の面は、非球面である。これにより、第３レンズ群Ｇ３は、正のパワーを有する。
【００５６】
第４レンズ群Ｇ４は、物体側から像面Ｓ側へと順に、像面Ｓ側に凸面を向けた正メニスカス形状の第１０レンズ素子Ｌ１０と、両凹形状の第１１レンズ素子Ｌ１１と、両凸形状の第１２レンズ素子Ｌ１２と、両凸形状の第１３レンズ素子Ｌ１３とからなる。これにより、第４レンズ群Ｇ４は、正のパワーを有する。第１１レンズ素子Ｌ１１と第１２レンズ素子Ｌ１２とは、互いに接着剤層（図示せず）を介して接合されている。そのため、数値実施例３の面データにおいては、第１１レンズ素子Ｌ１１と第１２レンズ素子Ｌ１２との間の接着剤層に、面番号２３を付与している。また、第１０レンズ素子Ｌ１０の像面Ｓ側および第１３レンズ素子Ｌ１３の両面は、非球面である。
【００５７】
第５レンズ群Ｇ５は、物体側に凸面を向けた負メニスカス形状の第１４レンズ素子Ｌ１４のみからなる。これにより、第５レンズ群Ｇ５は、負のパワーを有する。
【００５８】
第６レンズ群Ｇ６は、物体側に凸面を向けた負メニスカス形状の第１５レンズ素子Ｌ１５のみからなる。これにより、第６レンズ群Ｇ６は、負のパワーを有する。
【００５９】
以上のように、本実施の形態のズームレンズ系は６群レンズで構成されている。
【００６０】
また、図５の下段に示すように、本実施の形態のズームレンズ系は、撮像時のズーミングにおいて、広角端に対して望遠端では、以下のように動作する。
【００６１】
このとき、本実施の形態では、第１レンズ群Ｇ１、第４レンズ群Ｇ４および第６レンズ群Ｇ６は、像面Ｓに対して、固定して配置されている。
【００６２】
まず、第１レンズ群Ｇ１と第２レンズ群Ｇ２との間隔ｄ８は、第２レンズ群Ｇ２が像面Ｓ側に移動して広くなる。これにより、第２レンズ群Ｇ２と第３レンズ群Ｇ３との間隔ｄ１６は、狭くなる。このとき、第３レンズ群Ｇ３は、物体側に移動する。これにより、第３レンズ群Ｇ３と、像面Ｓに対して固定して配置される第４レンズ群Ｇ４との間隔ｄ１８は広くなる。
【００６３】
第５レンズ群Ｇ５は、広角端から望遠端までの所定のズーミング位置まで、一旦、像面Ｓに近づく方向に移動する。その後、第５レンズ群Ｇ５は、像面Ｓに離れる方向に移動する。つまり、第５レンズ群Ｇ５は、像面Ｓに対して凸状の曲線で物体側に移動する、これにより、第４レンズ群Ｇ４と第５レンズ群Ｇ５との間隔ｄ２７は、狭くなる。
【００６４】
さらに、第５レンズ群Ｇ５と第６レンズ群Ｇ６との間隔ｄ２９は、第５レンズ群Ｇ５が物体側に移動するため広くなる。
【００６５】
以上のように、本実施の形態のズームレンズ系は、第２レンズ群Ｇ２、第３レンズ群Ｇ３および第５レンズ群Ｇ５が光軸Ｌに沿って、相対的に移動する。これにより、広角端から望遠端までのズーミング動作が行われる。
【００６６】
なお、フォーカシングレンズ群である第５レンズ群Ｇ５は、無限遠合焦状態から近接物体合焦状態へのフォーカシングの際に、広角および望遠のいずれのズーミング状態でも、光軸Ｌに沿って像面Ｓ側へ移動する。
【００６７】
（実施の形態４）
以下に、実施の形態４に係るズームレンズ系について、図７を用いて、説明する。
【００６８】
図７の（ａ）に示すように、本実施の形態のズームレンズ系の第１レンズ群Ｇ１は、物体側から像面Ｓ側へと順に、第１レンズ素子Ｌ１と、両凸形状の第２レンズ素子Ｌ２と、第３レンズ素子Ｌ３と、第４レンズ素子Ｌ４とからなる。第１レンズ素子Ｌ１は、物体側に凸面を向けた負メニスカス形状で構成される。第３レンズ素子Ｌ３は、物体側に凸面を向けた正メニスカス形状で構成される。第４レンズ素子Ｌ４は、物体側に凸面を向けた正メニスカス形状で構成される。これにより、第１レンズ群Ｇ１は、正のパワーを有する。また、第１レンズ素子Ｌ１と第２レンズ素子Ｌ２とは、互いに接着剤層（図示せず）を介して接合されている。そのため、実施の形態４に対応し、後述する数値実施例４の面データにおいては、第１レンズ素子Ｌ１と第２レンズ素子Ｌ２との間の接着剤層に、面番号２を付与している。
【００６９】
第２レンズ群Ｇ２は、物体側から像面Ｓ側へと順に、物体側に凸面を向けた負メニスカス形状の第５レンズ素子Ｌ５と、両凹形状の第６レンズ素子Ｌ６と、両凸形状の第７レンズ素子Ｌ７と、両凹形状の第８レンズ素子Ｌ８とからなる。第６レンズ素子Ｌ６の両面は、非球面である。これにより、第２レンズ群Ｇ２は、負のパワーを有する。また、第７レンズ素子Ｌ７と第８レンズ素子Ｌ８とは、互いに接着剤層（図示せず）を介して接合されている。そのため、数値実施例４の面データにおいては、第７レンズ素子Ｌ７と第８レンズ素子Ｌ８との間の接着剤層に、面番号１４を付与している。
【００７０】
第３レンズ群Ｇ３は、物体側から順に、像面Ｓ側に凸面を向けた正メニスカス形状の第９レンズ素子Ｌ９と、開口絞りＡとからなる。第９レンズ素子Ｌ９の物体側の面は、非球面である。これにより、第３レンズ群Ｇ３は、正のパワーを有する。
【００７１】
第４レンズ群Ｇ４は、物体側から像面Ｓ側へと順に、第１０レンズ素子Ｌ１０と、第１１レンズ素子Ｌ１１と、第１２レンズ素子Ｌ１２と、両凸形状の第１３レンズ素子Ｌ１３とからなる。第１０レンズ素子Ｌ１０は、像面Ｓ側に凸面を向けた正メニスカス形状で構成される。第１１レンズ素子Ｌ１１は、像面Ｓ側に凸面を向けた負メニスカス形状で構成される。第１２レンズ素子Ｌ１２は、像面Ｓ側に凸面を向けた正メニスカス形状で構成される。これにより、第４レンズ群Ｇ４は、正のパワーを有する。第１１レンズ素子Ｌ１１と第１２レンズ素子Ｌ１２とは、互いに接着剤層（図示せず）を介して接合されている。そのため、数値実施例４の面データにおいては、第１１レンズ素子Ｌ１１と第１２レンズ素子Ｌ１２との間の接着剤層に、面番号２３を付与している。また、第１０レンズ素子Ｌ１０の像面Ｓ側および第１３レンズ素子Ｌ１３の両面は、非球面である。
【００７２】
第５レンズ群Ｇ５は、物体側に凸面を向けた負メニスカス形状の第１４レンズ素子Ｌ１４のみからなる。これにより、第５レンズ群Ｇ５は、負のパワーを有する。
【００７３】
第６レンズ群Ｇ６は、両凸形状の第１５レンズ素子Ｌ１５のみからなる。これにより、第６レンズ群Ｇ６は、正のパワーを有する。
【００７４】
以上のように、本実施の形態のズームレンズ系は、６群レンズで構成されている。
【００７５】
また、図７の（ｃ）に示すように、本実施の形態のズームレンズ系は、撮像時のズーミングにおいて、広角端に対して望遠端では、以下のように動作する。
【００７６】
このとき、本実施の形態では、第１レンズ群Ｇ１、第４レンズ群Ｇ４および第６レンズ群Ｇ６は、像面Ｓに対して、固定して配置されている。
【００７７】
まず、第１レンズ群Ｇ１と第２レンズ群Ｇ２との間隔ｄ８は、第２レンズ群Ｇ２が像面Ｓ側に移動して広くなる。これにより、第２レンズ群Ｇ２と第３レンズ群Ｇ３との間隔ｄ１６は、狭くなる。
【００７８】
このとき、第３レンズ群Ｇ３と、像面Ｓに対して固定の第４レンズ群Ｇ４との間隔ｄ１８は、広角端および望遠端では、変化しない。しかし、第３レンズ群Ｇ３は、広角端から望遠端までの所定のズーミング位置まで、一旦、像面Ｓから離れる（遠ざかる）方向に移動する。その後、第３レンズ群Ｇ３は、像面Ｓに近づく方向に移動し、同じ位置に戻るように動作する。つまり、第３レンズ群Ｇ３は、像面Ｓに対して、物体側に向かって凸状の曲線で移動する。
【００７９】
一方、第５レンズ群Ｇ５は、広角端から望遠端までの所定のズーミング位置まで、一旦、像面Ｓに近づく方向に移動する。その後、第５レンズ群Ｇ５は、像面Ｓから離れる方向に移動する。つまり、第５レンズ群Ｇ５は、像面Ｓに対して凸状の曲線で物体側に移動する。これにより、第４レンズ群Ｇ４と第５レンズ群Ｇ５との間隔ｄ２７は、狭くなる。
【００８０】
さらに、第５レンズ群Ｇ５と第６レンズ群Ｇ６との間隔ｄ２９は、第５レンズ群Ｇ５が物体側に移動するため広くなる。
【００８１】
以上のように、本実施の形態のズームレンズ系は、第２レンズ群Ｇ２、第３レンズ群Ｇ３および第５レンズ群Ｇ５が光軸Ｌに沿って、相対的に移動する。これにより、広角端から望遠端までのズーミング動作が行われる。
【００８２】
なお、フォーカシングレンズ群である第５レンズ群Ｇ５は、無限遠合焦状態から近接物体合焦状態へのフォーカシングの際に、広角および望遠のいずれのズーミング状態でも、光軸に沿って像面Ｓ側へ移動する。
【００８３】
（実施の形態５）
以下に、実施の形態５に係るズームレンズ系について、図９を用いて、説明する。
【００８４】
図９の（ａ）に示すように、本実施の形態のズームレンズ系の第１レンズ群Ｇ１は、物体側から像面Ｓ側へと順に、第１レンズ素子Ｌ１と、両凸形状の第２レンズ素子Ｌ２と、第３レンズ素子Ｌ３と、第４レンズ素子Ｌ４とからなる。第１レンズ素子Ｌ１は、物体側に凸面を向けた負メニスカス形状で構成される。第３レンズ素子Ｌ３は、物体側に凸面を向けた正メニスカス形状で構成される。第４レンズ素子Ｌ４は、物体側に凸面を向けた正メニスカス形状で構成され。これにより、第１レンズ群Ｇ１は、正のパワーを有する。また、第１レンズ素子Ｌ１と第２レンズ素子Ｌ２とは、互いに接着剤層を介して接合されている。そのため、後述する対応数値実施例５の面データにおいては、第１レンズ素子Ｌ１と第２レンズ素子Ｌ２との間の接着剤層に、面番号２を付与している。
【００８５】
第２レンズ群Ｇ２は、物体側から像面Ｓ側へと順に、物体側に凸面を向けた負メニスカス形状の第５レンズ素子Ｌ５と、両凹形状の第６レンズ素子Ｌ６と、両凸形状の第７レンズ素子Ｌ７と、両凹形状の第８レンズ素子Ｌ８とからなる。第６レンズ素子Ｌ６の両面は、非球面である。これにより、第２レンズ群Ｇ２は、負のパワーを有する。第７レンズ素子Ｌ７と第８レンズ素子Ｌ８とは、互いに接着剤層（図示せず）を介して接合されている。そのため、実施の形態５に対応し、後述する数値実施例５の面データにおいては、第７レンズ素子Ｌ７と第８レンズ素子Ｌ８との間の接着剤層に、面番号１４を付与している。そして、第２レンズ群Ｇ２の像面Ｓ側に、開口絞りＡが配置されている。
【００８６】
第３レンズ群Ｇ３は、物体側から像面Ｓ側へと順に、両凸形状の第９レンズ素子Ｌ９と、第１０レンズ素子Ｌ１０と、第１１レンズ素子Ｌ１１と、両凸形状の第１２レンズ素子Ｌ１２とからなる。第１０レンズ素子Ｌ１０は、像側に凸面を向けた負メニスカス形状で構成される。第１１レンズ素子Ｌ１１は、像側に凸面を向けた正メニスカス形状で構成される。第１０レンズ素子Ｌ１０の物体側の面は、非球面である。これにより、第３レンズ群Ｇ３は、正のパワーを有する。また、第１０レンズ素子Ｌ１０と第１１レンズ素子Ｌ１１とは、互いに接着剤層（図示せず）を介して接合されている。そのため、数値実施例５の面データにおいては、第１１レンズ素子Ｌ１１と第１２レンズ素子Ｌ１２との間の接着剤層に、面番号２１を付与している。また、第１０レンズ素子Ｌ１０の物体側および第１２レンズ素子Ｌ１２の両面は、非球面である。
【００８７】
第４レンズ群Ｇ４は、物体側に凸面を向けた負メニスカス形状の第１３レンズ素子Ｌ１３のみからなる。これにより、第４レンズ群Ｇ４は、負のパワーを有する。
【００８８】
第５レンズ群Ｇ５は、物体側に凸面を向けた負メニスカス形状の第１４レンズ素子Ｌ１４のみからなる。これにより、第５レンズ群Ｇ５は、負のパワーを有する。
【００８９】
第６レンズ群Ｇ６は、両凸形状の第１５レンズ素子Ｌ１５のみからなる。これにより、第６レンズ群Ｇ６は、正のパワーを有する。
【００９０】
以上のように、本実施の形態のズームレンズ系は、６群レンズで構成されている。
【００９１】
また、図９の（ｃ）に示すように、本実施の形態のズームレンズ系は、撮像時のズーミングにおいて、広角端から望遠端では、以下のように動作する。
【００９２】
このとき、本実施の形態では、第１レンズ群Ｇ１、第４レンズ群Ｇ４および第６レンズ群Ｇ６は、像面Ｓに対して、固定して配置されている。
【００９３】
まず、第１レンズ群Ｇ１と第２レンズ群Ｇ２との間隔ｄ８は、第２レンズ群Ｇ２が像面Ｓ側に移動して広くなる。これにより、第２レンズ群Ｇ２と第３レンズ群Ｇ３との間隔ｄ１６は、狭くなる。
【００９４】
このとき、第３レンズ群Ｇ３と、像面Ｓに対して固定の第４レンズ群Ｇ４との間隔ｄ２５は、広角端および望遠端では、変化しない。しかし、第３レンズ群Ｇ３は、広角端から望遠端までの所定のズーミング位置まで、像面Ｓから離れる（遠ざかる）方向に移動する。その後、第３レンズ群Ｇ３は、像面Ｓに近づく方向に移動し、同じ位置に戻るように動作する。つまり、第３レンズ群Ｇ３は、像面Ｓに対して、物体側に向かって凸状の曲線で、広角端から望遠端までの間を移動する。
【００９５】
一方、第５レンズ群Ｇ５は、広角端から望遠端までの所定のズーミング位置まで、像面Ｓに近づく方向に移動する。その後、第５レンズ群Ｇ５は、像面Ｓから離れる方向に移動する。つまり、第５レンズ群Ｇ５は、像面Ｓに対して凸状の曲線で、広角端から望遠端までの間を移動する。これにより、第４レンズ群Ｇ４と第５レンズ群Ｇ５との間隔ｄ２７は、一旦広くなった後、狭くなる。
【００９６】
さらに、第５レンズ群Ｇ５と第６レンズ群Ｇ６との間隔ｄ２９は、第５レンズ群Ｇ５が、一旦、像面Ｓ側に移動するため狭くなるが、その後、望遠端に向かって、物体側に移動するため広くなる。
【００９７】
以上のように、本実施の形態のズームレンズ系は、第２レンズ群Ｇ２、第３レンズ群Ｇ３および第５レンズ群Ｇ５が光軸Ｌに沿って、相対的に移動する。
【００９８】
なお、フォーカシングレンズ群である第５レンズ群Ｇ５は、無限遠合焦状態から近接物体合焦状態へのフォーカシングの際に、広角および望遠のいずれのズーミング状態でも、光軸に沿って像面Ｓ側へ移動する。
【００９９】
以上で説明したように、上記各実施の形態に係るズームレンズ系は、物体側から像面Ｓ側へと順に、正のパワーを有する第１レンズ群Ｇ１と、負のパワーを有する第２レンズ群Ｇ２と、正のパワーを有する第３レンズ群Ｇ３および第４レンズ群Ｇ４、第５レンズ群Ｇ５および第６レンズ群Ｇ６の３つのレンズ群で構成された後続レンズ群とからなる。
【０１００】
また、上記各実施の形態に係るズームレンズ系は、第１レンズ群Ｇ１が、負のパワーを有する第１レンズ素子Ｌ１と、正のパワーを有する第２レンズ素子Ｌ２と、正のパワーを有する第３レンズ素子Ｌ３と、正のパワーを有する第４レンズ素子Ｌ４とを含む４枚以上のレンズ素子で構成される。これにより、特に、望遠端における色収差の補正が可能となる。つまり、望遠系レンズにおいて、望遠端で発生しやすい色収差を、外部から入射する光線が多い、第１レンズ群Ｇ１で補正することができる。
【０１０１】
また、上記各実施の形態に係るズームレンズ系は、後続レンズ群の第５レンズ群Ｇ５が負のパワーを有する。これにより、ズーミング動作やフォーカシング動作に必要なスペースを確保することができる。その結果、小型で、高倍率のズームレンズ系を実現できる。
【０１０２】
また、上記各実施の形態に係るズームレンズ系は、開口絞りＡを像面Ｓに対して固定して配置する。これにより、開口絞りＡを駆動するための機構を省略できる。その結果、絞り機構の簡略化およびレンズ鏡筒の小型化が可能となる。
【０１０３】
また、実施の形態１および２に係るズームレンズ系は、広角端から望遠端へのズーミングにおいて、第４レンズ群Ｇ４および第５レンズ群Ｇ５は像面Ｓ側から物体側へと移動する。さらに、第４レンズ群Ｇ４と第５レンズ群Ｇ５との間隔は狭くなるように移動する。これにより、ズーム時における第５レンズ群Ｇ５の移動量を大きくして、高倍率化を実現できる。さらに、望遠端におけるフォーカシング時の第５レンズ群Ｇ５の移動量を、大きくできる。これにより、ズームレンズ系を小型にできる。
【０１０４】
また、上記実施の形態３から５に係るズームレンズ系は、広角端から望遠端へのズーミングにおいて、第４レンズ群Ｇ４を像面Ｓに対して固定する。さらに、第５レンズ群Ｇ５を、一旦、像面Ｓ側に向かって近づけ、その後、離れる方向、例えば凸状の曲線で移動させる。これにより、高倍率化を実現しながら、望遠端におけるフォーカシング時の第５レンズ群Ｇ５の移動量を大きくできる。
【０１０５】
また、上記各実施の形態に係るズームレンズ系は、広角端から望遠端へのズーミングにおいて、最も像面Ｓ側の近傍に位置する第６レンズ群Ｇ６を、像面Ｓに対して固定して配置する。これにより、第６レンズ群Ｇ６を移動させるためのスペースを設ける必要がない。その結果、レンズ全長を短縮できる。
【０１０６】
また、上記各実施の形態に係るズームレンズ系は、開口絞りＡの前後に、広角端から望遠端へのズーミングの際に光軸Ｌに沿って移動するレンズ群をそれぞれ１つ以上配置する。これにより、ズームレンズ系の小型化を図りながら、結像性能（例えば、収差の補正など）を向上させることが可能となる。
【０１０７】
また、上記各実施の形態に係るズームレンズ系は、無限遠合焦状態から近接物体合焦状態へのフォーカシングの際に、光軸Ｌに沿って像面Ｓ側に移動する第５レンズ群Ｇ５を単レンズ素子のみで構成する。これにより、ズームレンズ系とフォーカスレンズ群の小型化が可能になる。その結果、フォーカシングの高速応答を実現できる。
【０１０８】
以下に、実施の形態１から５に係るズームレンズ系の構成を満足することが可能な条件について、説明する。
【０１０９】
なお、各実施の形態に係るズームレンズ系に対しては、複数の可能な条件が規定される。この場合、複数の条件のすべてを満足するズームレンズ系の構成が最も効果的である。
【０１１０】
しかしながら、以下で述べるように、個別の条件を満足することにより、それぞれに対応する効果を奏するズームレンズ系を得ることも可能である。
【０１１１】
例えば、実施の形態１から５に係るズームレンズ系は、物体側から像面Ｓ側へと順に、正のパワーを有する第１レンズ群Ｇ１と、負のパワーを有する第２レンズ群Ｇ２と、正のパワーを有する第３レンズ群Ｇ３と、第４レンズ群Ｇ４、第５レンズ群Ｇ５および第６レンズ群Ｇ６の３つのレンズ群で構成された後続レンズ群を備える。後続レンズ群の第５レンズ群Ｇ５は負のパワーを有するレンズで構成される。さらに、第１レンズ群Ｇ１は、負のパワーを有する第１レンズ素子Ｌ１と、正のパワーを有する第２レンズ素子Ｌ２と、正のパワーを有する第３レンズ素子Ｌ３と、正のパワーを有する第４レンズ素子Ｌ４を含む４枚以上のレンズ素子で構成される。そして、撮影時の広角端から望遠端へのズーミングの際に、第１レンズ群Ｇ１は像面Ｓに対して固定されて配置される。以下では、上記レンズ構成を、実施の形態の基本構成と称する。
【０１１２】
上記基本構成を備えるズームレンズ系は、以下の条件式（１）を満足する。
【０１１３】
０．０７５  ＜  Ｍ５／Ｌａ  ＜  ０．３００・・・（１）
ここで、Ｍ５は広角端から望遠端へのズーミング時における第５レンズ群Ｇ５の物体側への移動量、Ｌａはレンズ全長（第１レンズ群Ｇ１の最も物体側の面と像面Ｓとの間の距離）である。
【０１１４】
つまり、条件式（１）は、広角端から望遠端へのズーミングの際に、第５レンズ群Ｇ５の移動量Ｍ５とレンズ全長Ｌａの比を規定する条件である。ここで、レンズ全長Ｌａとは、第１レンズ群Ｇ１の第１レンズ素子Ｌ１の最も物体側の面と、像面Ｓとの間の距離である。
【０１１５】
そして、実施の形態１から５に係るズームレンズ系は、条件式（１）を満足するように構成される。これにより、高倍率でありながら、光学性能を良好に維持できる。その結果、レンズ全長Ｌａを短縮化して、小型のズームレンズ系を実現できる。
【０１１６】
なお、条件式（１）の上限（０．３００以上）を上回ると、望遠端における第５レンズ群Ｇ５の光線高が高くなる。そのため、球面収差が多く発生し、高い光学性能を維持することが困難となる。また、ズーミング時の第５レンズ群Ｇ５の移動量が大きくなりすぎる。そのため、ズームレンズ系が大型化する。
【０１１７】
一方、条件式（１）の下限（０．０７５以下）を下回ると、ズームレンズ系の小型化と収差の補正を同時に実現することが困難となる。そのため、条件式（１）の範囲が、好ましい。
【０１１８】
さらに、以下の条件式（１−Ａ）、（１−Ｂ）の少なくともいずれか１つを満足することにより、上記効果をさらに向上させることができる。
【０１１９】
０．０７８  ＜  Ｍ５／Ｌａ  ＜  ０．３００・・・（１−Ａ）
０．０７５  ＜  Ｍ５／Ｌａ  ＜  ０．１２０・・・（１−Ｂ）
また、実施の形態１から５に係るズームレンズ系は、最も像面Ｓ側のレンズ群（第６レンズ群）がズーミングの際に移動しない場合、以下の条件式（２）を満足することが望ましい。
【０１２０】
０．６２  ＜  ｜Ｚ５／ｆ５｜  ＜  ５０・・・（２）
ここで、Ｚ５は広角端から望遠端へのズーミング時における第５レンズ群の移動量で、ｆ５は第５レンズ群Ｇ５の焦点距離である。
【０１２１】
つまり、条件式（２）は、広角端から望遠端へのズーミングの際に、第５レンズ群Ｇ５の移動量Ｚ５と第５レンズ群Ｇ５の焦点距離ｆ５との比を規定する条件である。
【０１２２】
そして、実施の形態１から５に係るズームレンズ系は、条件式（２）を満足するように構成される。これにより、ズーミング時の収差変動を抑えて、優れた光学性能を得ることができる。さらに、ズームレンズ系全体を小型化できる。
【０１２３】
なお、条件式（２）の下限（０．６２以下）を下回ると、第５レンズ群Ｇ５のパワーが弱くなりすぎて、焦点距離が長くなる。そのため、無限遠合焦状態から近接物体合焦状態へのフォーカシングの際に、第５レンズ群Ｇ５の移動量が大きくなり、ズームレンズ系が大型化する。
【０１２４】
一方、条件式（２）の上限（５０以上）を上回ると、第５レンズ群Ｇ５のパワーが強くなりすぎる。そのため、ズーミング時の収差変動が大きくなり、光学性能が劣化する。そのため、条件式（２）の範囲が、好ましい。
【０１２５】
さらに、以下の条件式（２−Ａ）、（２−Ｂ）の少なくともいずれか１つを満足することにより、上記効果をさらに向上させることができる。
【０１２６】
０．６６  ＜  ｜Ｚ５／ｆ５｜  ＜  ５０・・・（２−Ａ）
０．６２  ＜  ｜Ｚ５／ｆ５｜  ＜  ５  ・・・（２−Ｂ）
また、実施の形態１から５に係るズームレンズ系は、以下の条件式（３）を満足することが望ましい。
【０１２７】
１．７５  ＜  ｎ  ≦  ２．１・・・（３）
ここで、ｎは、第５レンズ群Ｇ５の内、負のパワーを有するレンズ素子のｄ線に対する屈折率である。
【０１２８】
つまり、条件式（３）は、第５レンズ群Ｇ５の中の負のパワーを有するレンズ素子のｄ線に対する屈折率を規定する条件である。
【０１２９】
そして、実施の形態１から５に係るズームレンズ系は、条件式（３）を満足するように構成される。これにより、最短撮影距離において、非点収差や像面湾曲を良好に補正できる。その結果、優れた光学性能を維持するズームレンズ系を実現できる。
【０１３０】
なお、条件式（３）の下限（１．７５以下）を下回ると、無限遠合焦状態から近接物体合焦状態へのフォーカシングの際に発生する、非点収差や像面湾曲などの諸収差の補正ができなくなる。つまり、パワーが弱くなるため、収差の補正がしにくくなる。さらに、第５レンズ群Ｇ５の移動距離が大きくなるため、ズームレンズ系の小型化が困難になる。
【０１３１】
一方、条件式（３）の上限（２．１を超える）を上回ると、非点収差や像面湾曲などの諸収差が大きくなる。そのため、条件式（３）の範囲が、好ましい。
【０１３２】
さらに、以下の条件式（３−Ａ）を満足することにより、上記効果をより向上させることができる。
【０１３３】
１．７８  ＜  ｎ・・・（３−Ａ）
なお、実施の形態１から５では、ズームレンズ系を構成している各レンズ群が、入射光線を屈折により偏向させる屈折型レンズ素子（すなわち、異なる屈折率を有する媒質同士の界面で偏向が行われるタイプのレンズ素子）のみで構成する例で説明したが、これに限られない。例えば、回折型レンズ素子、屈折・回折ハイブリッド型レンズ素子や、屈折率分布型レンズ素子などで、各レンズ群を構成してもよい。ここで、回折型レンズ素子は、回折により入射光線を偏向させるレンズ素子である。屈折・回折ハイブリッド型レンズ素子は、回折作用と屈折作用との組み合わせで入射光線を偏向させるレンズ素子である。屈折率分布型レンズ素子は、入射光線を媒質内の屈折率分布により偏向させるレンズ素子である。このとき、特に、屈折・回折ハイブリッド型レンズ素子においては、屈折率の異なる媒質の界面に回折構造を形成することが好ましい。これにより、回折効率の波長依存性を、さらに改善することができる。
【０１３４】
（実施の形態６）
以下に、実施の形態６に係るズームレンズ系を備えるカメラシステムについて、図１１を用いて、説明する。
【０１３５】
図１１は、実施の形態６に係るズームレンズ系を搭載したカメラシステムの概略構成図である。なお、図１１は、実施の形態１のズームレンズ系を搭載した構成を例に示すが、実施の形態２から５のズームレンズ系を搭載する構成でもよい。
【０１３６】
図１１に示すように、本実施の形態のカメラシステム１００は、カメラ本体１０１と、カメラ本体１０１に接続されるズームレンズ系２０１とを備える。カメラ本体１０１は、撮像素子１０２を備える。撮像素子１０２は、ズームレンズ系２０１によって形成される光学像を受光して、電気的な画像信号に変換する。
【０１３７】
つまり、本実施の形態のカメラシステム１００は、実施の形態１から５のいずれかに係るズームレンズ系２０１を搭載している。そのため、コンパクトで結像性能に優れたカメラシステム１００を実現できる。
【０１３８】
なお、上記実施の形態１から５に係るズームレンズ系では、広角端から望遠端までの全てのズーミング域を使用する例で説明したが、ズーミング域の全てを使用する必要はない。例えば、所望のズーミング域に応じて、光学性能が確保されている範囲を切り出して、ズームレンズ系として使用してもよい。つまり、以下で、実施の形態１から５に対応する数値実施例１から５で説明するズームレンズ系よりも、低倍率のズームレンズ系として使用してもよい。
【０１３９】
以上では、本出願に開示する技術について、実施の形態１から６を例に説明した。
【０１４０】
しかしながら、本開示における技術は、これに限定されず、変更、置き換え、付加、省略などを行った実施の形態にも適用可能である。
【０１４１】
以下に、上記実施の形態１から５に係るズームレンズ系の構成において、具体的に実施した数値実施例について、図２、図４、図６、図８および図１０を参照しながら説明する。
【０１４２】
なお、各数値実施例において、表中の長さの単位は「ｍｍ」で、画角の単位は「°」である。また、各数値実施例において、ｒは曲率半径、ｄは面間隔、ｎｄはｄ線に対する屈折率、ｖｄはｄ線に対するアッベ数である。さらに、各数値実施例において、＊印を付した面は非球面である。そして、非球面形状は、次式で定義している。
【０１４３】
【数１】
2016173556.tif 000003
【０１４４】
ここで、Ｚは光軸からの高さｈの非球面上の点から、非球面頂点の接平面までの距離、ｈは光軸からの高さ、ｒは頂点曲率半径、κは円錐定数、Ａｎはｎ次の非球面係数である。
【０１４５】
図２、図４、図６、図８および図１０は、実施の形態１から５に対応する数値実施例１から５に係るズームレンズ系の無限遠合焦状態の縦収差図である。
【０１４６】
ここで、各縦収差図において、（ａ）は広角端、（ｂ）は中間位置、（ｃ）は望遠端における各収差を表している。各縦収差図の（ａ）から（ｃ）は、左側から順に、球面収差（ＳＡ：Ｓｐｈｅｒｉｃａｌ  Ａｂｅｒｒａｔｉｏｎ（ｍｍ））、非点収差（ＡＳＴ：Ａｓｔｉｇｍａｔｉｓｍ（ｍｍ））、歪曲収差（ＤＩＳ：Ｄｉｓｔｏｒｔｉｏｎ（％））を示している。
【０１４７】
球面収差図において、縦軸はＦナンバー（図中、「Ｆ」で示す）を表し、実線はｄ線（ｄ−ｌｉｎｅ）、短破線はＦ線（Ｆ−ｌｉｎｅ）、長破線はＣ線（Ｃ−ｌｉｎｅ）に対する特性を示している。非点収差図において、縦軸は像高（図中、「Ｈ」で示す）を表し、実線はサジタル平面（図中、「ｓ」で示す）、破線はメリディオナル平面（図中、「ｍ」で示す）に対する特性を示している。さらに、歪曲収差図において、縦軸は像高（図中、「Ｈ」で示す）を表している。
【０１４８】
（数値実施例１）
以下に、図１に示した実施の形態１のズームレンズ系に対応する数値実施例１を示す。
面番号         r                       d                        nd                   vd 
物面             ∞ 
1             8.31150            0.23730             1.80518             25.5 
2             5.74150            0.00170             1.56732             42.8 
3             5.74150            1.05420             1.43700             95.1 
4           48.19100             0.03390 
5             6.56160             0.62350             1.43700            95.1 
6           24.12580             0.03390 
7             5.18040             0.66650             1.59282            68.6 
8           15.70230                 可変 
9           39.23470             0.11860             2.00100            29.1 
10           2.18250             0.50410 
11*       - 6.27480             0.10170              1.88202           37.2 
12*         2.65550               0.01690 
13           2.07980               0.64310             1.95906          17.5 
14        - 5.43040                0.00170             1.56732          42.8 
15        - 5.43040                0.08470             1.91082          35.2 
16           2.31200                  可変 
17*         2.15820                0.36990            1.59201           67.0 
18           5.37560                0.29470 
19(絞り)       ∞                      可変 
20*         1.42620                0.79800             1.55332            71.7 
21*     - 61.46830                0.03390 
22           6.53070                 0.09730            2.00100             29.1 
23           1.88860                 0.00170            1.56732             42.8 
24           1.88860                 0.50090            1.49700             81.6 
25       - 10.79050                 0.03500 
26*          3.36020                0.17390            1.58699             59.5 
27                 ∞                         可変 
28           - 5.52720               0.08470            2.00100             29.1 
29             2.08900                  可変 
30           23.38070               0.23350            2.00272             19.3 
31           - 3.47700               0.16950 
32                  ∞                     0.25420            1.51680             64.2 
33                  ∞                     0.67640 
34                  ∞                          BF 
像面              ∞ 
（非球面データ）
第11面
K= 0.00000E+00,   A4=-2.28711E-02,   A6= 1.75042E-02,   A8=-1.73984E-03 
第12面
K= 0.00000E+00,   A4=-2.06913E-02,   A6= 1.53652E-02,   A8= 2.59599E-03 
第17面
K= 0.00000E+00,   A4=-9.36753E-03,   A6=-4.09252E-04,   A8=-8.60255E-04 
第20面
K= 0.00000E+00,   A4=-2.09059E-02,   A6=-8.57122E-03,   A8=-8.30917E-03 
第21面
K= 0.00000E+00,   A4= 4.83182E-03,   A6=-3.20287E-02,   A8= 1.56850E-02
第26面
K= 0.00000E+00,   A4=-6.57610E-02,   A6=-9.55406E-02,   A8= 6.36764E-02 
（各種データ）
ズーム比               25.09940
広角                    中間                     望遠
焦点距離                  1.0002                5.0110                 25.1039
Ｆナンバー              1.60057              3.70212                4.40042
画角                        35.6445                5.0883                  1.0181
像高                          0.6730                 0.4491                  0.4491
レンズ全長             14.4994               14.4995               14.4995
BF                        0.00000              0.00000                0.00000
d8                         0.1475                2.7058                  4.1008 
d16                       4.0379                1.4796                  0.0847 
d19                       1.6697                0.7046                  0.1694 
d27                       0.4510                0.9723                  0.3294 
d29                       0.3479                0.7918                  1.9698 
入射瞳位置                4.6227              17.9427                56.1861
射出瞳位置              - 5.9378              - 6.7817              - 80.0524
前側主点位置            5.4545              19.2546                73.4165
後側主点位置          13.5022                9.4950              - 10.6154
（単レンズデータ）
レンズ                 始面                  焦点距離
1                         1                     - 24.0516
2                         3                       14.8036
3                         5                       20.4041
4                         7                       12.7405
5                         9                       - 2.3124
6                       11                       - 2.1042
7                       13                         1.6366
8                       15                       - 1.7711
9                       17                          5.8412
10                       20                          2.5305
11                       22                       - 2.6824
12                       24                         3.2770
13                       26                          5.7245
14                       28                        - 1.5061
15                       30                          3.0318
（ズームレンズ群データ）
群      始面      焦点距離      レンズ構成長      前側主点位置      後側主点位置
1        1         6.86927          2.65100                0.76214                1.59612
2        9       - 1.01579          1.47080                0.42276                1.03608
3      17         5.84118          0.66460              - 0.14947              - 0.00239
4      20         2.19562          1.64070                 0.32213                0.75232
5      28       - 1.50612          0.08470                 0.03055                0.07315
6      30         3.03184           0.65720                0.10194                0.30495
（ズームレンズ群倍率）
群              始面           広角               中間                望遠
1                 1            0.00000          0.00000          0.00000
2                 9          - 0.24023       - 0.60824        - 3.69323
3               17           22.62253         2.39130          8.29862
4               20           - 0.01732       - 0.28795        - 0.05279
5               28             2.34451          2.64466          3.40031
6               30             0.65975          0.65858          0.66434
（数値実施例２）
以下に、図３に示した実施の形態２のズームレンズ系に対応する数値実施例２を示す。
（面データ）
面番号           r                      d                    nd                   vd 
物面               ∞ 
1          15.57110          0.34880           1.80518             25.5 
2            9.06690          0.00230           1.56732             42.8 
3            9.06690          1.43630           1.43700             95.1 
4        - 86.47200          0.04650 
5            9.03450          0.89610           1.49700             81.6 
6          43.75670          0.04650 
7            6.56670          0.89370           1.59282             68.6 
8          17.00800             可変 
9          10.15090          0.16280           2.00100             29.1 
10            1.79950          0.88500 
11*        - 2.81570          0.13950           1.88202             37.2 
12*          7.62190          0.02330 
13            2.70260          0.83830           1.95906             17.5 
14          - 3.25500          0.00230           1.56732             42.8 
15          - 3.25500          0.11630           2.00100             29.1 
16            5.14930             可変 
17*          3.07840          0.47560           1.59201             67.0 
18            8.20610          0.36870 
19(絞り)        ∞                 可変 
20            2.03540          0.83720           1.55332             71.7 
21*        11.79320          0.04650 
22            2.50860          0.12440           2.00100             29.1 
23            1.39310          0.00230           1.56732             42.8 
24            1.39310          0.94850           1.49700             81.6 
25            5.41210          0.13560 
26*          3.66810          0.33790           1.51760             63.5 
27*      - 17.66740            可変 
28            9.75750          0.11630           1.80420             46.5 
29            1.81400            可変 
30            8.08220          0.29430           1.64769              33.8 
31          - 6.53970          0.23250 
32                 ∞                0.34880           1.51680              64.2 
33                 ∞                0.92810 
34                 ∞                   BF 
像面              ∞ 
（非球面データ）
第11面
K= 0.00000E+00,   A4= 5.50611E-02,   A6=-2.06976E-02,   A8= 4.42094E-03 
第12面
K= 0.00000E+00,   A4= 6.23395E-02,   A6=-2.40079E-02,   A8= 7.24415E-03 
第17面
K= 0.00000E+00,   A4=-3.92440E-03,   A6=-8.27527E-05,   A8=-2.36362E-05 
第21面
K= 0.00000E+00,   A4= 1.48995E-02,   A6=-1.13438E-03,   A8= 1.40729E-04 
第26面
K= 0.00000E+00,   A4=-1.00576E-02,   A6=-3.04374E-02,   A8=-8.77072E-03 
第27面
K= 0.00000E+00,   A4= 4.42561E-03,   A6=-3.21990E-02,   A8=-1.17694E-03 
（各種データ）
ズーム比             35.99906
広角                       中間                     望遠
焦点距離               1.0000                   5.9997                 35.9983
Fナンバー            1.60055                 3.60300                 4.70479
画角                     34.5980                   6.5771                   1.1156
像高                       0.7174                   0.7174                   0.7174
レンズ全長          19.8939                19.8939                 19.8940
BF                      0.00000                0.00000                 0.00000
d8                       0.1080                  3.7365                   5.5587 
d16                     5.5669                  1.9383                   0.1162 
d19                     2.3532                  0.8024                   0.2325 
d27                     0.3389                  1.3393                   0.3091 
d29                     0.4925                  1.0430                   2.6431 
入射瞳位置            5.3987                24.3954                 94.4557
射出瞳位置         -  8.1109                - 7.3658               - 16.1135
前側主点位置        6.2754                 25.5105                 49.9979
後側主点位置      18.8954                 13.8977               - 16.1112
（単レンズデータ）
レンズ                 始面                  焦点距離
1                         1                     - 27.6188
2                         3                       18.8652
3                         5                       22.7134
4                         7                       17.4864
5                         9                       - 2.2066
6                       11                       - 2.3166
7                       13                         1.6535
8                       15                       - 1.9786
9                       17                         8.0442
10                       20                         4.3140
11                       22                       - 3.3147
12                       24                         3.5004
13                       26                         5.9003
14                       28                       - 2.7890
15                       30                         5.6256
（ズームレンズ群データ）
群      始面      焦点距離      レンズ構成長      前側主点位置      後側主点位置
1        1         8.76224          3.67020               1.17069                2.37502
2        9       - 1.11977          2.16750               0.48052                1.33446
3      17         8.04416          0.84430             - 0.17337                0.01345
4      20         3.13836          2.43240               0.35163                0.97321
5      28       - 2.78897          0.11630               0.07970                0.13112
6      30         5.62557          0.87560               0.09952                0.33262
（ズームレンズ群倍率）
群              始面           広角               中間                望遠
1                1             0.00000          0.00000          0.00000
2                9           - 0.19445        - 0.52565       - 3.63481
3              17           16.75599          2.15211          3.87045
4              20           - 0.02468        - 0.38677       - 0.14688
5              28             1.92218          2.12092          2.68778
6              30             0.73823          0.73787          0.73973
（数値実施例３）
以下に、図５に示した実施の形態３のズームレンズ系に対応する数値実施例３を示す。
（面データ）
面番号           r                       d                    nd                   vd 
物面               ∞ 
1            9.27370           0.17230          1.80518              25.5 
2            5.06750           0.00110          1.56732              42.8 
3            5.06750           0.67340          1.43700              95.1 
4        - 27.47840           0.02300 
5             3.98400          0.57690          1.49700              81.6 
6           16.66220          0.02300 
7             3.03480          0.47100          1.59282              68.6 
8             5.88820             可変 
9             3.32700          0.08040          2.00069              25.5 
10             1.04280          0.47200 
11*         - 2.64940          0.06890          1.85135              40.1 
12*           7.50110          0.01150 
13             3.04500          0.44870          1.95906               17.5 
14           - 1.66620          0.00110          1.56732               42.8 
15          - 1.66620           0.05740          1.88100               40.1 
16           24.41510             可変 
17*         - 2.70960          0.91660          1.59201               67.0 
18           - 1.38930             可変 
19(絞り)         ∞               0.20180 
20           - 4.75000          0.33460           1.49710               81.6 
21*         - 1.28410           0.02300 
22           - 1.75760           0.08940          2.00100               29.1 
23             2.56810           0.00110          1.56732               42.8 
24             2.56810           1.11990          1.49700               81.6 
25           - 1.44240           0.02300 
26*           3.56110           0.69150           1.73077               40.5 
27*         - 2.74710              可変 
28             3.09430           0.05740           1.81550                44.4 
29             0.85990              可変 
30             1.25740           0.06990            2.00100               29.1 
31             1.15900           0.17920 
32                   ∞                0.17230            1.51680               64.2 
33                   ∞                0.45830 
34                   ∞                    BF 
像面               ∞ 
（非球面データ）
第11面
K= 0.00000E+00,   A4= 6.40725E-02,   A6=-3.02682E-02,   A8=-1.29522E-02 
第12面
K= 0.00000E+00,   A4= 4.89393E-02,   A6=-1.27823E-02,   A8=-2.79861E-02 
第17面
K= 0.00000E+00,   A4=-1.69700E-01,   A6=-5.46220E-03,   A8=-1.32632E-01 
第21面
K= 0.00000E+00,   A4= 1.30869E-01,   A6= 0.00000E+00,   A8= 0.00000E+00 
第26面
K= 0.00000E+00,   A4= 1.76394E-03,   A6=-2.20850E-03,   A8=-4.28387E-04 
第27面
K= 0.00000E+00,   A4= 2.01845E-02,   A6=-7.59559E-03,   A8= 8.54458E-04 
（各種データ）
ズーム比             19.99862
広角                       中間                     望遠
焦点距離               1.0002                   4.4727                20.0029
Fナンバー           1.60125                  3.60835                 4.70730
画角                    18.5847                    4.4258                   0.9966
像高                      0.3543                    0.3543                   0.3543
レンズ全長         12.0589                  12.0589                 12.0589
BF                     0.00000                  0.00000                 0.00000
d8                      0.0639                    1.9037                   2.5225 
d16                    3.0712                    1.2314                   0.2657 
d18                    0.1148                    0.1148                   0.4617 
d27                    1.1360                    1.0567                   0.1019 
d29                    0.2543                    0.3336                   1.2884 
入射瞳位置           3.8830                  19.0312                 53.7051
射出瞳位置         - 2.2851                  - 2.3499                 - 3.0995
前側主点位置        4.4446                  14.9903              - 55.5931
後側主点位置      11.0548                    7.5861                - 7.9490
（単レンズデータ）
レンズ                 始面                  焦点距離
1                         1                     - 14.1342
2                         3                         9.8525
3                         5                       10.3783
4                         7                         9.9525
5                         9                       - 1.5450
6                       11                       - 2.2926
7                       13                         1.1778
8                       15                       - 1.7686
9                       17                          3.8279
10                       20                          3.4303
11                       22                        - 1.0317
12                       24                          2.0483
13                       26                          2.2251
14                       28                        - 1.4773
15                       30                      - 22.9514
（ズームレンズ群データ）
群      始面      焦点距離      レンズ構成長      前側主点位置      後側主点位置
1        1         4.50461          1.94070               0.52508                1.18272
2        9       - 1.29143          1.14000               0.10425                0.42961
3      17         3.82790          0.91660               0.93914                1.39813
4      19         1.61318          2.48430               1.59840                2.94441
5      28       - 1.47729          0.05740               0.04430                0.06971
6      30     - 22.95143          0.42140               0.69245                0.76687
（ズームレンズ群倍率）
群              始面           広角               中間                望遠
1                1             0.00000          0.00000          0.00000
2                9           - 0.56467        - 2.88756          7.52764
3              17           - 1.31385        - 0.93969          0.37011
4              19              0.17461          0.20665          0.65958
5              28              1.70594          1.76214          2.40519
6              30              1.00475          1.00491          1.00470
（数値実施例４）
以下に、図７に示した実施の形態４のズームレンズ系に対応する数値実施例４を示す。
（面データ）
面番号           r                       d                   nd                   vd 
物面               ∞ 
1          14.11070           0.28910           1.80518            25.5 
2            8.07810           0.00190           1.56732             42.8 
3            8.07810           1.35540           1.43700             95.1 
4        - 37.98350           0.03850 
5             7.37060          0.87700           1.49700             81.6 
6           39.31630          0.03850 
7             5.01700          0.71920            1.59282            68.6 
8             9.76490             可変 
9             4.24760          0.13490            2.00100            29.1 
10             1.37580          0.84500 
11*         - 2.86120          0.11560            1.88202            37.2 
12*           3.85080          0.16090 
13             2.74370          0.57430             1.95906            17.5 
14           - 5.22740          0.00190             1.56732            42.8 
15           - 5.22740          0.09640             2.00100            29.1 
16           34.66620              可変 
17*       - 34.01020          0.22720             1.92110            22.4 
18           - 7.29460              可変 
19(絞り)          ∞              1.77890 
20         - 39.76790          0.57810              1.49710            81.6 
21*         - 1.80080           0.13560 
22           - 1.99050           0.51410             2.00100            29.1 
23         - 18.72540           0.00190             1.56732            42.8 
24         - 18.72540           0.79020             1.49700            81.6 
25           - 2.56960           0.03850 
26*           5.63440           1.00960              1.54250            62.9 
27*         - 2.59790               可変 
28           22.60160           0.09640              2.00100            29.1 
29             1.96880               可変 
30             2.96790           0.43490              1.95375             32.3 
31           - 9.42430           0.19270 
32                   ∞                0.28910              1.51680             64.2 
33                   ∞                0.76910 
34                   ∞                    BF 
像面                ∞ 
（非球面データ）
第11面
K= 0.00000E+00,   A4= 1.82423E-01,   A6=-2.00729E-01,   A8= 7.28126E-02 
第12面
K= 0.00000E+00,   A4= 1.86271E-01,   A6=-2.11957E-01,   A8= 8.53905E-02 
第17面
K= 0.00000E+00,   A4= 2.25659E-04,   A6= 5.10546E-05,   A8=-1.41906E-04 
第21面
K= 0.00000E+00,   A4= 4.75226E-02,   A6= 0.00000E+00,   A8= 0.00000E+00 
第26面
K= 0.00000E+00,   A4= 8.15082E-03,   A6=-1.36054E-03,   A8= 2.17125E-04 
第27面
K= 0.00000E+00,   A4= 1.25417E-02,   A6= 8.97517E-04,   A8= 1.31919E-04 
（各種データ）
ズーム比               31.00405
広角                       中間                     望遠
焦点距離               1.0000                   5.5680                31.0050
Fナンバー           1.60118                  3.60470                 4.70504
画角                    28.5605                    5.8016                    1.0930
像高                      0.5945                    0.5945                    0.5945
レンズ全長         19.8515                  19.8516                  19.8516
BF                     0.00000                  0.00000                  0.00000
d8                      0.0533                    3.5641                    4.6153 
d16                    4.7896                    0.8034                    0.2277 
d18                    0.1927                    0.6681                    0.1927 
d27                    1.7408                    2.2226                    0.1528 
d29                    0.9702                    0.4885                    2.5582 
入射瞳位置            5.0976                 31.2946                   92.5154
射出瞳位置            5.4810                    7.7525                    3.1387
前側主点位置         6.2802                  40.8604               430.6642
後側主点位置       18.8524                  14.2813               - 11.1445
（単レンズデータ）
レンズ                 始面                  焦点距離
1                         1                    - 23.9797
2                         3                      15.3811
3                         5                      18.0871
4                         7                      16.4765
5                         9                      - 2.0818
6                       11                      - 1.8462
7                       13                        1.9447
8                       15                      - 4.5324
9                       17                      10.0409
10                       20                        3.7753
11                       22                      - 2.2598
12                       24                         5.8968
13                       26                         3.4253
14                       28                       - 2.1596
15                       30                         2.4078
（ズームレンズ群データ）
群      始面      焦点距離      レンズ構成長      前側主点位置      後側主点位置
1        1         7.37320          3.31960              1.03617                 2.13434
2        9       - 1.36275          1.92900              0.26014                 0.73843
3      17       10.04089          0.22720               0.14995                0.25936
4      19          2.85911          4.84690              3.71903                4.96590
5      28        - 2.15955          0.09640              0.05290                0.10101
6      30          2.40780           0.91670              0.05424                0.36116
（ズームレンズ群倍率）
群              始面           広角               中間                望遠
1                1             0.00000          0.00000          0.00000
2                9           - 0.30204        - 1.36145        27.12144
3              17             4.69989          2.14599           0.22784
4              19           - 0.07490        - 0.21989           0.42466
5              28             2.83786           2.60736          3.59153
6              30             0.44947           0.45083          0.44618
（数値実施例５）
以下に、図９に示した実施の形態５のズームレンズ系に対応する数値実施例５を示す。
（面データ）
面番号            r                      d                    nd                   vd 
物面               ∞ 
1          14.14550           0.31790           1.80518            25.5 
2            8.41530           0.00210           1.56732            42.8 
3            8.41530           1.25810           1.43700            95.1 
4        - 59.04800           0.04240 
5            7.87340           0.93940            1.49700           81.6 
6          42.28180           0.04240 
7            5.78100           0.77760             1.59282           68.6 
8          11.88730              可変 
9             5.66490          0.14830             2.00100            29.1 
10             1.49040          0.94650 
11*         - 2.57330          0.12710             1.85135            40.1 
12*           5.77730          0.05900 
13             2.74530          0.68700              1.95906            17.5 
14           - 3.75500          0.00210              1.56732            42.8 
15           - 3.75500          0.10600              2.00069            25.5 
16           12.33820              可変 
17(絞り)         ∞                   可変 
18             7.18360          0.61930               1.69895            30.0 
19           - 5.89320          0.62300 
20*         - 2.90100          0.14330               2.01960            21.5 
21         - 11.45960          0.00210               1.56732            42.8 
22         - 11.45960          0.55920               1.49700            81.6 
23           - 4.58390          0.04240 
24*           3.36460          1.30220                1.55332            71.7 
25*         - 2.56320              可変 
26           16.23690          0.13600                1.91082             35.2 
27             7.14980              可変 
28           10.20010          0.10600                2.00069             25.5 
29             1.86860              可変 
30             2.42880          0.50800                1.80610             33.3 
31         - 13.93290          0.21190 
32                   ∞               0.31790                1.51680             64.2 
33                   ∞               0.84570 
34                   ∞                   BF 
像面                ∞ 
（非球面データ）
第11面
K= 0.00000E+00,   A4= 1.07881E-01,   A6=-8.27841E-02,   A8= 2.39270E-02 
第12面
K= 0.00000E+00,   A4= 1.10158E-01,   A6=-8.06112E-02,   A8= 2.71140E-02 
第20面
K= 0.00000E+00,   A4= 4.83931E-03,   A6=-1.81654E-03,   A8=-2.86284E-04 
第24面
K= 0.00000E+00,   A4=-1.75069E-02,   A6= 8.34652E-04,   A8= 1.24945E-05 
第25面
K= 0.00000E+00,   A4= 1.35858E-02,   A6=-1.84514E-03,   A8= 4.00263E-04 
（各種データ）
ズーム比                31.00328
広角                       中間                     望遠
焦点距離               1.0000                    5.5680                31.0028
Fナンバー           1.60107                  3.60524                4.70659
画角                    31.6538                    6.4674                   1.1958
像高                      0.6537                    0.6537                   0.6537
レンズ全長         20.1328                  20.1328                 20.1329
BF                     0.00000                  0.00000                 0.00000
d8                      0.0545                    3.4792                   5.1538 
d16                    5.3779                    1.9533                   0.2786 
d17                    1.2829                    0.3799                   1.2829 
d25                    0.2119                    1.1148                   0.2119 
d27                    1.9398                    1.8501                   0.3294 
d29                    0.3929                    0.4826                   2.0034 
入射瞳位置           5.1342                  24.5907                 99.3743
射出瞳位置     - 121.6885                - 24.1476                   5.4726
前側主点位置        6.1260                  28.8753               306.3407
後側主点位置      19.1346                  14.5737               - 10.8597
（単レンズデータ）
レンズ                 始面                  焦点距離
1                         1                   - 26.4549
2                         3                     16.9510
3                         5                     19.2921
4                         7                     18.1247
5                         9                     - 2.0570
6                       11                     - 2.0766
7                       13                       1.7438
8                       15                     - 2.8674
9                       18                        4.7238
10                       20                     - 3.8421
11                       22                     14.9680
12                       24                       2.8526
13                       26                   - 14.1270
14                       28                      - 2.3007
15                       30                        2.6018
（ズームレンズ群データ）
群      始面      焦点距離      レンズ構成長      前側主点位置      後側主点位置
1        1         8.04620          3.37990              0.98145                 2.10184
2        9       - 1.24354          2.07600              0.36467                 1.02989
3      18         2.94405          3.29150              1.95177                 2.38751
4      26     - 14.12695          0.13600              0.12809                 0.19240
5      28       - 2.30075           0.10600             0.06528                 0.11796
6      30          2.60182          1.03780             0.04234                  0.37343
（ズームレンズ群倍率）
群              始面           広角               中間                望遠
1                1              0.00000         0.00000          0.00000
2                9            - 0.24357       - 0.73988    - 202.97254
3              18            - 0.35638       - 0.64695        - 0.01153
4              26              1.24164          1.23648          1.13992
5              28              2.75264          2.80937          3.47353
6              30              0.41891          0.41617          0.41569
以上のように、実施の形態１から５に係るズームレンズ系に対して、数値実施例１から５で、具体的に実施した。
【０１４９】
以下に、各数値実施例における上記条件式（１）から（３）に対応する値を（表１）に示す。
【０１５０】
【表１】
2016173556.tif 000004
【０１５１】
（表１）に示すように、数値実施例１から５で実施したズームレンズ系は、上記各条件式（１）から（３）を満たすことがわかる。
【０１５２】
これにより、小型、高倍率で、全ズーム範囲で結像性能に優れたズームレンズ系およびそれを備えるカメラシステムを実現できることがわかる。
【０１５３】
なお、上述の実施の形態は、本開示における技術を例示するためのものであるから、特許請求の範囲またはその均等の範囲において種々の変更、置き換え、付加、省略などを行うことができる。
【産業上の利用可能性】
【０１５４】
本開示は、デジタルスチルカメラ、デジタルビデオカメラ、スマートフォン等の携帯情報端末のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラなどに適用可能である。特に、本開示は、監視カメラといった高画質が要求される撮影光学系に適用可能である。
【符号の説明】
【０１５５】
１００    カメラシステム
１０１    カメラ本体
１０２    撮像素子
２０１    ズームレンズ系
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０    第１０レンズ素子
Ｌ１１    第１１レンズ素子
Ｌ１２    第１２レンズ素子
Ｌ１３    第１３レンズ素子
Ｌ１４    第１４レンズ素子
Ｌ１５    第１５レンズ素子
Ａ    開口絞り
Ｅ    平行平板
Ｌ    光軸
Ｓ    像面
【図１】
2016173556.tif 000005
【図２】
2016173556.tif 000006
【図３】
2016173556.tif 000007
【図４】
2016173556.tif 000008
【図５】
2016173556.tif 000009
【図６】
2016173556.tif 000010
【図７】
2016173556.tif 000011
【図８】
2016173556.tif 000012
【図９】
2016173556.tif 000013
【図１０】
2016173556.tif 000014
【図１１】
2016173556.tif 000015